【手続補正書】
【提出日】平成18年7月20日(2006.7.20)
【手続補正１】
【補正対象書類名】特許請求の範囲
【補正対象項目名】全文
【補正方法】変更
【補正の内容】
【特許請求の範囲】
【請求項１】
情報処理装置本体部と、
前記情報処理装置本体部に収納可能な情報処理用入力装置とを具備し、
前記情報処理装置本体部は、
前記情報処理装置本体部に前記情報処理用入力装置が収納されたときに、収納検出信号を出力する検出部と、
複数のソフトウェアが格納された記憶装置と、
実行部と、
表示装置とを具備し、
前記実行部は、
前記複数のソフトウェアのうちの情報処理用ソフトウェアを起動し、前記情報処理用ソフトウェアの表示データである情報処理用表示データを前記表示装置に表示する制御部を具備し、
前記制御部は、前記検出部から前記収納検出信号が出力されたとき、前記複数のソフトウェアのうちの第１ＡＶ用ソフトウェアを起動し、前記第１ＡＶ用ソフトウェアの表示データである第１ＡＶ用表示データを前記表示装置に表示する
情報処理装置。
【請求項２】
請求項１に記載の情報処理装置において、
更に、
ユーザの指示を前記情報処理装置本体部に送信する操作部を具備し、
前記記憶装置には、第１ＡＶ用ソフトウェア起動情報が更に格納され、
前記検出部が前記収納検出信号を出力してから所定時間が経過するまでに、前記操作部が操作されないとき、前記制御部は、前記記憶装置に格納された前記第１ＡＶ用ソフトウェア起動情報に従って、前記第１ＡＶ用ソフトウェアを起動し、前記第１ＡＶ用表示データを前記表示装置に表示する
情報処理装置。
【請求項３】
請求項２に記載の情報処理装置において、
前記実行部は、
前記所定時間内に前記操作部が操作されたとき、設定画面を前記表示装置に表示する設定部を更に具備し、
前記設定画面は、前記複数のソフトウェアのうちの選択ソフトウェアをユーザが選択するための選択画面を含み、
前記表示装置に前記設定画面が表示されているときに前記選択ソフトウェアとして前記複数のソフトウェアのうちの第２ＡＶ用ソフトウェアが選択された場合、
前記設定部は、前記第１ＡＶ用ソフトウェア起動情報に代えて、第２ＡＶ用ソフトウェア起動情報を前記記憶装置に格納し、
前記制御部は、前記記憶装置に格納された前記第２ＡＶ用ソフトウェア起動情報に従って、前記第２ＡＶ用ソフトウェアを起動し、前記第２ＡＶ用ソフトウェアの表示データである第２ＡＶ用表示データを前記表示装置に表示する
情報処理装置。
【請求項４】
請求項３に記載の情報処理装置において、
前記設定部は、前記検出部が前記収納検出信号を出力してから前記所定時間が経過するまで、カウントダウンの結果を表すカウントダウン画面を前記表示装置に表示し、
前記表示装置に前記カウントダウン画面が表示されているときに前記操作部が操作されない場合、前記制御部は、前記記憶装置に格納された前記第１ＡＶ用ソフトウェア起動情報に従って、前記第１ＡＶ用ソフトウェアを起動し、前記第１ＡＶ用表示データを前記表示装置に表示し、
前記表示装置に前記カウントダウン画面が表示されているときに前記操作部が操作された場合、前記設定部は、前記カウントダウン画面に代えて、前記設定画面を前記表示装置に表示する
情報処理装置。
【請求項５】
請求項２に記載の情報処理装置において、
前記実行部は、
前記検出部から前記収納検出信号が出力されたとき、設定画面を前記表示装置に表示する設定部を更に具備し、
前記設定画面は、前記複数のソフトウェアのうちの選択ソフトウェアをユーザが選択するための選択画面を含み、
前記表示装置に前記設定画面が表示されているときに前記所定時間内に前記操作部が操作されない場合、前記制御部は、前記記憶装置に格納された前記第１ＡＶ用ソフトウェア起動情報に従って、前記第１ＡＶ用ソフトウェアを起動し、前記第１ＡＶ用表示データを前記表示装置に表示し、
前記表示装置に前記設定画面が表示されているときに前記選択ソフトウェアとして前記複数のソフトウェアのうちの第２ＡＶ用ソフトウェアが選択された場合、
前記設定部は、前記第１ＡＶ用ソフトウェア起動情報に代えて、第２ＡＶ用ソフトウェア起動情報を前記記憶装置に格納し、
前記制御部は、前記記憶装置に格納された前記第２ＡＶ用ソフトウェア起動情報に従って、前記第２ＡＶ用ソフトウェアを起動し、前記第２ＡＶ用ソフトウェアの表示データである第２ＡＶ用表示データを前記表示装置に表示する
情報処理装置。
【請求項６】
請求項５に記載の情報処理装置において、
前記設定部は、前記検出部が前記収納検出信号を出力してから前記所定時間が経過するまで、カウントダウンの結果を表すカウントダウン画面を前記表示装置に表示し、
前記表示装置に前記カウントダウン画面と前記設定画面とが表示されているときに前記操作部が操作されない場合、前記制御部は、前記記憶装置に格納された前記第１ＡＶ用ソフトウェア起動情報に従って、前記第１ＡＶ用ソフトウェアを起動し、前記第１ＡＶ用表示データを前記表示装置に表示し、
前記表示装置に前記設定画面が表示されているときに前記選択ソフトウェアとして前記第２ＡＶ用ソフトウェアが選択された場合、
前記設定部は、前記第１ＡＶ用ソフトウェア起動情報に代えて、前記第２ＡＶ用ソフトウェア起動情報を前記記憶装置に格納し、
前記制御部は、前記記憶装置に格納された前記第２ＡＶ用ソフトウェア起動情報に従って、前記第２ＡＶ用ソフトウェアを起動し、前記第２ＡＶ用表示データを前記表示装置に表示する
情報処理装置。
【請求項７】
請求項４又は６に記載の情報処理装置において、
前記設定画面は、更に、ユーザが前記操作部によりカウント値を指定するための時間設定画面を含み、
前記設定部は、ユーザにより指定された前記カウント値を前記記憶装置に格納し、
前記記憶装置に格納された前記カウント値は、前記所定時間に対応し、
ユーザが前記情報処理装置本体部から前記情報処理用入力装置を引出し、再度、前記情報処理装置本体部に前記情報処理用入力装置を収納したときに、前記設定部は、前記記憶装置に格納された前記カウント値に従って、前記カウントダウン画面を前記表示装置に表示する
情報処理装置。
【請求項８】
請求項１〜７のいずれかに記載の情報処理装置において、
前記複数のソフトウェアのうちのＡＶ用ソフトウェアは、ＴＶを視聴するためのＴＶ用ソフトウェアと、ディスクを視聴するためのディスク用ソフトウェアと、音楽を聴くための音楽用ソフトウェアと、取得されたコンテンツを視聴するためのコンテンツ用ソフトウェアとの少なくとも２つを含み、
前記第１ＡＶ用ソフトウェアは、前記少なくとも２つのうちの１つのＡＶ用ソフトウェアである
情報処理装置。
【請求項９】
請求項３〜７のいずれかに記載の情報処理装置において、
前記複数のソフトウェアのうちのＡＶ用ソフトウェアは、ＴＶを視聴するためのＴＶ用ソフトウェアと、ディスクを視聴するためのディスク用ソフトウェアと、音楽を聴くための音楽用ソフトウェアと、取得されたコンテンツを視聴するためのコンテンツ用ソフトウェアとの少なくとも２つを含み、
前記第１ＡＶ用ソフトウェアは、前記少なくとも２つのうちの１つのＡＶ用ソフトウェアであり、
前記第２ＡＶ用ソフトウェアは、前記少なくとも２つのうちの他の１つのＡＶ用ソフトウェアである
情報処理装置。
【請求項１０】
複数のソフトウェアが格納された記憶装置と、表示装置を備えた情報処理装置本体部と、ユーザの指示を前記情報処理装置本体部に送信する操作部と、前記情報処理装置本体部に収納可能な情報処理用入力装置とを具備する情報処理装置を用いた表示データ制御方法であって、
前記複数のソフトウェアのうちの情報処理用ソフトウェアを起動し、前記情報処理用ソフトウェアの表示データである情報処理用表示データを前記表示装置に表示する通常時表示制御ステップと、
前記情報処理装置本体部に前記情報処理用入力装置が収納されたときに、前記複数のソフトウェアのうちの第１ＡＶ用ソフトウェアを起動し、前記第１ＡＶ用ソフトウェアの表示データである第１ＡＶ用表示データを前記表示装置に表示する収納時表示制御ステップと
を具備する表示データ制御方法。
【請求項１１】
請求項１０に記載の表示データ制御方法において、
前記記憶装置には、第１ＡＶ用ソフトウェア起動情報が更に格納され、
前記収納時表示制御ステップは、
前記情報処理装置本体部に前記情報処理用入力装置が収納されてから所定時間が経過するまでに、前記操作部が操作されないとき、前記記憶装置に格納された前記第１ＡＶ用ソフトウェア起動情報に従って、前記第１ＡＶ用ソフトウェアを起動し、前記第１ＡＶ用表示データを前記表示装置に表示するステップを
含む表示データ制御方法。
【請求項１２】
請求項１１に記載の表示データ制御方法において、
前記収納時表示制御ステップは、更に、
前記所定時間内に前記操作部が操作されたとき、設定画面を前記表示装置に表示するステップを含み、
前記設定画面は、前記複数のソフトウェアのうちの選択ソフトウェアをユーザが選択するための選択画面を含み、
前記収納時表示制御ステップは、更に、
前記表示装置に前記設定画面が表示されているときに前記選択ソフトウェアとして前記複数のソフトウェアのうちの第２ＡＶ用ソフトウェアが選択された場合、前記第１ＡＶ用ソフトウェア起動情報に代えて、第２ＡＶ用ソフトウェア起動情報を前記記憶装置に格納するステップと、
前記記憶装置に格納された前記第２ＡＶ用ソフトウェア起動情報に従って、前記第２ＡＶ用ソフトウェアを起動し、前記第２ＡＶ用ソフトウェアの表示データである第２ＡＶ用表示データを前記表示装置に表示するステップと
を含む表示データ制御方法。
【請求項１３】
請求項１２に記載の表示データ制御方法において、
前記収納時表示制御ステップは、更に、
前記情報処理装置本体部に前記情報処理用入力装置が収納されてから前記所定時間が経過するまで、カウントダウンの結果を表すカウントダウン画面を前記表示装置に表示するステップを含み、
前記収納時表示制御ステップは、更に、
前記表示装置に前記カウントダウン画面が表示されているときに前記操作部が操作されない場合、前記記憶装置に格納された前記第１ＡＶ用ソフトウェア起動情報に従って、前記第１ＡＶ用ソフトウェアを起動し、前記第１ＡＶ用表示データを前記表示装置に表示するステップと、
前記表示装置に前記カウントダウン画面が表示されているときに前記操作部が操作された場合、前記カウントダウン画面に代えて、前記設定画面を前記表示装置に表示するステップと
を含む表示データ制御方法。
【請求項１４】
請求項１１に記載の表示データ制御方法において、
前記収納時表示制御ステップは、更に、
前記情報処理装置本体部に前記情報処理用入力装置が収納されたとき、設定画面を前記表示装置に表示するステップを含み、
前記設定画面は、前記複数のソフトウェアのうちの選択ソフトウェアをユーザが選択するための選択画面を含み、
前記収納時表示制御ステップは、更に、
前記表示装置に前記設定画面が表示されているときに前記所定時間内に前記操作部が操作されない場合、前記記憶装置に格納された前記第１ＡＶ用ソフトウェア起動情報に従って、前記第１ＡＶ用ソフトウェアを起動し、前記第１ＡＶ用表示データを前記表示装置に表示するステップと、
前記表示装置に前記設定画面が表示されているときに前記選択ソフトウェアとして前記複数のソフトウェアのうちの第２ＡＶ用ソフトウェアが選択された場合、
前記第１ＡＶ用ソフトウェア起動情報に代えて、第２ＡＶ用ソフトウェア起動情報を前記記憶装置に格納するステップと、
前記記憶装置に格納された前記第２ＡＶ用ソフトウェア起動情報に従って、前記第２ＡＶ用ソフトウェアを起動し、前記第２ＡＶ用ソフトウェアの表示データである第２ＡＶ用表示データを前記表示装置に表示するステップと
を含む表示データ制御方法。
【請求項１５】
請求項１４に記載の表示データ制御方法において、
前記情報処理装置本体部に前記情報処理用入力装置が収納されてから前記所定時間が経過するまで、カウントダウンの結果を表すカウントダウン画面を前記表示装置に表示するステップを含み、
前記表示装置に前記カウントダウン画面と前記設定画面とが表示されているときに前記操作部が操作されない場合、前記記憶装置に格納された前記第１ＡＶ用ソフトウェア起動情報に従って、前記第１ＡＶ用ソフトウェアを起動し、前記第１ＡＶ用表示データを前記表示装置に表示するステップと、
前記表示装置に前記設定画面が表示されているときに前記選択ソフトウェアとして前記第２ＡＶ用ソフトウェアが選択された場合、
前記第１ＡＶ用ソフトウェア起動情報に代えて、前記第２ＡＶ用ソフトウェア起動情報を前記記憶装置に格納するステップと、
前記記憶装置に格納された前記第２ＡＶ用ソフトウェア起動情報に従って、前記第２ＡＶ用ソフトウェアを起動し、前記第２ＡＶ用表示データを前記表示装置に表示するステップと
を含む表示データ制御方法。
【請求項１６】
請求項１３又は１５に記載の表示データ制御方法において、
前記設定画面は、更に、ユーザが前記操作部によりカウント値を指定するための時間設定画面を含み、
前記収納時表示制御ステップは、更に、
ユーザにより指定された前記カウント値を前記記憶装置に格納するステップを含み、
前記記憶装置に格納された前記カウント値は、前記所定時間に対応し、
前記収納時表示制御ステップは、更に、
ユーザが前記情報処理装置本体部から前記情報処理用入力装置を引出し、再度、前記情報処理装置本体部に前記情報処理用入力装置を収納したときに、前記記憶装置に格納された前記カウント値に従って、前記カウントダウン画面を前記表示装置に表示するステップ
を含む表示データ制御方法。
【請求項１７】
請求項１０〜１６のいずれかに記載の表示データ制御方法において、
前記複数のソフトウェアのうちのＡＶ用ソフトウェアは、ＴＶを視聴するためのＴＶ用ソフトウェアと、ディスクを視聴するためのディスク用ソフトウェアと、音楽を聴くための音楽用ソフトウェアと、取得されたコンテンツを視聴するためのコンテンツ用ソフトウェアとの少なくとも２つを含み、
前記第１ＡＶ用ソフトウェアは、前記少なくとも２つのうちの１つのＡＶ用ソフトウェアである
表示データ制御方法。
【請求項１８】
請求項１２〜１６のいずれかに記載の表示データ制御方法において、
前記複数のソフトウェアのうちのＡＶ用ソフトウェアは、ＴＶを視聴するためのＴＶ用ソフトウェアと、ディスクを視聴するためのディスク用ソフトウェアと、音楽を聴くための音楽用ソフトウェアと、取得されたコンテンツを視聴するためのコンテンツ用ソフトウェアとの少なくとも２つを含み、
前記第１ＡＶ用ソフトウェアは、前記少なくとも２つのうちの１つのＡＶ用ソフトウェアであり、
前記第２ＡＶ用ソフトウェアは、前記少なくとも２つのうちの他の１つのＡＶ用ソフトウェアである
表示データ制御方法。
【請求項１９】
複数のソフトウェアが格納された記憶装置と、表示装置を備えた情報処理装置本体部と、ユーザの指示を前記情報処理装置本体部に送信する操作部と、前記情報処理装置本体部に収納可能な情報処理用入力装置とを具備するコンピュータに実行させるコンピュータプログラムであって、
前記複数のソフトウェアのうちの情報処理用ソフトウェアを起動し、前記情報処理用ソフトウェアの表示データである情報処理用表示データを前記表示装置に表示する通常時表示制御ステップと、
前記情報処理装置本体部に前記情報処理用入力装置が収納されたときに、前記複数のソフトウェアのうちの第１ＡＶ用ソフトウェアを起動し、前記第１ＡＶ用ソフトウェアの表示データである第１ＡＶ用表示データを前記表示装置に表示する収納時表示制御ステップと
の各ステップを前記コンピュータに実行させるコンピュータプログラム。
【請求項２０】
請求項１９に記載のコンピュータプログラムにおいて、
前記記憶装置には、第１ＡＶ用ソフトウェア起動情報が更に格納され、
前記収納時表示制御ステップは、
前記情報処理装置本体部に前記情報処理用入力装置が収納されてから所定時間が経過するまでに、前記操作部が操作されないとき、前記記憶装置に格納された前記第１ＡＶ用ソフトウェア起動情報に従って、前記第１ＡＶ用ソフトウェアを起動し、前記第１ＡＶ用表示データを前記表示装置に表示するステップを
含むコンピュータプログラム。
【請求項２１】
請求項２０に記載のコンピュータプログラムにおいて、
前記収納時表示制御ステップは、更に、
前記所定時間内に前記操作部が操作されたとき、設定画面を前記表示装置に表示するステップを含み、
前記設定画面は、前記複数のソフトウェアのうちの選択ソフトウェアをユーザが選択するための選択画面を含み、
前記収納時表示制御ステップは、更に、
前記表示装置に前記設定画面が表示されているときに前記選択ソフトウェアとして前記複数のソフトウェアのうちの第２ＡＶ用ソフトウェアが選択された場合、前記第１ＡＶ用ソフトウェア起動情報に代えて、第２ＡＶ用ソフトウェア起動情報を前記記憶装置に格納するステップと、
前記記憶装置に格納された前記第２ＡＶ用ソフトウェア起動情報に従って、前記第２ＡＶ用ソフトウェアを起動し、前記第２ＡＶ用ソフトウェアの表示データである第２ＡＶ用表示データを前記表示装置に表示するステップと
を含むコンピュータプログラム。
【請求項２２】
請求項２１に記載のコンピュータプログラムにおいて、
前記収納時表示制御ステップは、更に、
前記情報処理装置本体部に前記情報処理用入力装置が収納されてから前記所定時間が経過するまで、カウントダウンの結果を表すカウントダウン画面を前記表示装置に表示するステップを含み、
前記収納時表示制御ステップは、更に、
前記表示装置に前記カウントダウン画面が表示されているときに前記操作部が操作されない場合、前記記憶装置に格納された前記第１ＡＶ用ソフトウェア起動情報に従って、前記第１ＡＶ用ソフトウェアを起動し、前記第１ＡＶ用表示データを前記表示装置に表示するステップと、
前記表示装置に前記カウントダウン画面が表示されているときに前記操作部が操作された場合、前記カウントダウン画面に代えて、前記設定画面を前記表示装置に表示するステップと
を含むコンピュータプログラム。
【請求項２３】
請求項２０に記載のコンピュータプログラムにおいて、
前記収納時表示制御ステップは、更に、
前記情報処理装置本体部に前記情報処理用入力装置が収納されたとき、設定画面を前記表示装置に表示するステップを含み、
前記設定画面は、前記複数のソフトウェアのうちの選択ソフトウェアをユーザが選択するための選択画面を含み、
前記収納時表示制御ステップは、更に、
前記表示装置に前記設定画面が表示されているときに前記所定時間内に前記操作部が操作されない場合、前記記憶装置に格納された前記第１ＡＶ用ソフトウェア起動情報に従って、前記第１ＡＶ用ソフトウェアを起動し、前記第１ＡＶ用表示データを前記表示装置に表示するステップと、
前記表示装置に前記設定画面が表示されているときに前記選択ソフトウェアとして前記複数のソフトウェアのうちの第２ＡＶ用ソフトウェアが選択された場合、
前記第１ＡＶ用ソフトウェア起動情報に代えて、第２ＡＶ用ソフトウェア起動情報を前記記憶装置に格納するステップと、
前記記憶装置に格納された前記第２ＡＶ用ソフトウェア起動情報に従って、前記第２ＡＶ用ソフトウェアを起動し、前記第２ＡＶ用ソフトウェアの表示データである第２ＡＶ用表示データを前記表示装置に表示するステップと
を含むコンピュータプログラム。
【請求項２４】
請求項２３に記載のコンピュータプログラムにおいて、
前記情報処理装置本体部に前記情報処理用入力装置が収納されてから前記所定時間が経過するまで、カウントダウンの結果を表すカウントダウン画面を前記表示装置に表示するステップを含み、
前記表示装置に前記カウントダウン画面と前記設定画面とが表示されているときに前記操作部が操作されない場合、前記記憶装置に格納された前記第１ＡＶ用ソフトウェア起動情報に従って、前記第１ＡＶ用ソフトウェアを起動し、前記第１ＡＶ用表示データを前記表示装置に表示するステップと、
前記表示装置に前記設定画面が表示されているときに前記選択ソフトウェアとして前記第２ＡＶ用ソフトウェアが選択された場合、
前記第１ＡＶ用ソフトウェア起動情報に代えて、前記第２ＡＶ用ソフトウェア起動情報を前記記憶装置に格納するステップと、
前記記憶装置に格納された前記第２ＡＶ用ソフトウェア起動情報に従って、前記第２ＡＶ用ソフトウェアを起動し、前記第２ＡＶ用表示データを前記表示装置に表示するステップと
を含むコンピュータプログラム。
【請求項２５】
請求項２２又は２４に記載のコンピュータプログラムにおいて、
前記設定画面は、更に、ユーザが前記操作部によりカウント値を指定するための時間設定画面を含み、
前記収納時表示制御ステップは、更に、
ユーザにより指定された前記カウント値を前記記憶装置に格納するステップを含み、
前記記憶装置に格納された前記カウント値は、前記所定時間に対応し、
前記収納時表示制御ステップは、更に、
ユーザが前記情報処理装置本体部から前記情報処理用入力装置を引出し、再度、前記情報処理装置本体部に前記情報処理用入力装置を収納したときに、前記記憶装置に格納された前記カウント値に従って、前記カウントダウン画面を前記表示装置に表示するステップ
を含むコンピュータプログラム。
【請求項２６】
請求項１９〜２５のいずれかに記載のコンピュータプログラムにおいて、
前記複数のソフトウェアのうちのＡＶ用ソフトウェアは、ＴＶを視聴するためのＴＶ用ソフトウェアと、ディスクを視聴するためのディスク用ソフトウェアと、音楽を聴くための音楽用ソフトウェアと、取得されたコンテンツを視聴するためのコンテンツ用ソフトウェアとの少なくとも２つを含み、
前記第１ＡＶ用ソフトウェアは、前記少なくとも２つのうちの１つのＡＶ用ソフトウェアである
コンピュータプログラム。
【請求項２７】
請求項２１〜２５のいずれかに記載のコンピュータプログラムにおいて、
前記複数のソフトウェアのうちのＡＶ用ソフトウェアは、ＴＶを視聴するためのＴＶ用ソフトウェアと、ディスクを視聴するためのディスク用ソフトウェアと、音楽を聴くための音楽用ソフトウェアと、取得されたコンテンツを視聴するためのコンテンツ用ソフトウェアとの少なくとも２つを含み、
前記第１ＡＶ用ソフトウェアは、前記少なくとも２つのうちの１つのＡＶ用ソフトウェアであり、
前記第２ＡＶ用ソフトウェアは、前記少なくとも２つのうちの他の１つのＡＶ用ソフトウェアである
コンピュータプログラム。
【請求項２８】
キーボードと、
前記キーボードが収納される収納部と、
ユーザの操作により前記キーボードが前記収納部に収納されたことに応じて、予め指定されたソフトウェアを起動するソフトウェア起動手段と
を備えたことを特徴とする情報処理装置。
【請求項２９】
キーボードと、
前記キーボードが収納される収納部と、
ユーザの操作により前記キーボードが前記収納部に収納されたことに応じて、予め指定されているとともに前記キーボードを使用せずに操作可能なソフトウェアを起動するソフトウェア起動手段と
を備えたことを特徴とする情報処理装置。
【請求項３０】
キーボードと、
前記キーボードが収納される収納部と、
ユーザの操作により前記キーボードが前記収納部に収納されたことに応じて、予め指定されているとともにリモートコントローラのみで操作可能なソフトウェアを起動するソフトウェア起動手段と
を備えたことを特徴とする情報処理装置。
【請求項３１】
キーボードと、
前記キーボードが収納される収納部と、
ユーザの操作により前記キーボードが前記収納部に収納されたことに応じて、予め指定されたソフトウェアを起動するソフトウェア起動手段と、
前記キーボードが前記収納部に収納された後に、前記ソフトウェアが起動されるまでの残り時間をユーザに案内するための案内手段と
を備えたことを特徴とする情報処理装置。
【請求項３２】
キーボードと、
表示部と、
前記キーボードが収納される収納部と、
ユーザの操作により前記キーボードが前記収納部に収納されたことに応じて、予め指定されたソフトウェアを起動するソフトウェア起動手段と、
前記キーボードが前記収納部に収納された後に、前記ソフトウェアが起動されるまでの残り時間を、前記表示部に表示することによりユーザに案内する案内手段と
を備えたことを特徴とする情報処理装置。
【請求項３３】
キーボードと、
前記キーボードが収納される収納部と、
ユーザの操作により前記キーボードが前記収納部に収納されたことに応じて、予め指定されたソフトウェアを起動するソフトウェア起動手段と、
前記キーボードが前記収納部に収納された後に、前記ソフトウェアが起動されるまでの残り時間をユーザに案内するための案内手段と、
ユーザの操作により前記キーボードが前記収納部に収納された後、前記ソフトウェアが起動されるまでの間におけるユーザの所定の操作により、前記ソフトウェアの起動を中止する中止手段と
を備えたことを特徴とする情報処理装置。
【請求項３４】
キーボードと、
表示部と、
前記キーボードが収納される収納部と、
ユーザの操作により前記キーボードが前記収納部に収納されたことに応じて、予め指定されたソフトウェアを起動するソフトウェア起動手段と、
前記起動されたソフトウェアにより生成される画像を、前記キーボードが前記収納部に格納された後、予め設定された時間経過後に前記表示部に表示する表示手段と、
前記キーボードが前記収納部に収納された後に、前記画像が前記表示手段により表示されるまでの残り時間を、前記表示部に表示することによりユーザに案内する案内手段と
を備えたことを特徴とする情報処理装置。
【請求項３５】
キーボードと、
表示部と、
前記キーボードが収納される収納部と、
ユーザの操作により前記キーボードが前記収納部に収納されたことに応じて、予め指定されたソフトウェアを起動するソフトウェア起動手段と、
前記起動されたソフトウェアにより生成される画像を、前記キーボードが前記収納部に格納された後、予め設定された時間経過後に前記表示部に表示する表示手段と、
前記キーボードが前記収納部に収納された後に、前記画像が前記表示手段により表示されるまでの残り時間をユーザに案内するための案内手段と、
ユーザの操作により前記キーボードが前記収納部に収納された後、前記画像が前記表示手段により表示されるまでの間におけるユーザの所定の操作により、前記ソフトウェアの起動を中止する中止手段と
を備えたことを特徴とする情報処理装置。